(57)【要約】      （修正有）【課題】災害などで生じた停電や夜間などの暗闇の中や薄暗い場所でも鏡に映し出された対象物を片手で容易に利用者が確認できる手鏡を提供する。【解決手段】本体部１１０を外側から被覆するようにして本体部１１０を保護する保護カバー部１２０の一方側面に貼り付けられた鏡部１３０の外周縁部内側に沿って複数配置された光源部１１１が、鏡部１３０の反射方向に向けて対象物を照らす照明光を照射する。【選択図】図１
0003225766.tif 000002
【実用新案登録請求の範囲】
【請求項１】
鏡面の外周縁部内側に沿って配置され、前記鏡面の反射方向に向けて前記対象物を照らす照明光を照射する光源部、
を備えることを特徴とする手鏡。
【請求項２】
前記光源部を装飾光として発光させる装飾光制御手段、
を備えることを特徴とする請求項１記載の手鏡。
【請求項３】
前記装飾光制御手段は、
前記光源部の点灯と消灯とを切り替えて点滅させる光源部点滅手段、
を備えることを特徴とする請求項２記載の手鏡。
【請求項４】
前記光源部が複数配置され、
前記光源部点滅手段は、
前記複数配置された光源部を輪番で点灯するように点灯と消灯とを切り替えて点滅させること、
を特徴とする請求項３記載の手鏡。
【請求項５】
前記光源部が複数配置され、
隣り合う前記光源部を交互に、または、所定の間隔前記光源部が連続して配置された光源部帯を交互に点灯と消灯とを切り替えて点滅させること、
を特徴とする請求項３記載の手鏡。
【請求項６】
前記装飾光制御手段は、
前記光源部が発光する発光色を変色させる光源部変色手段、
を備えることを特徴とする請求項２記載の手鏡。
【請求項７】
前記光源部に電力を供給する電源部を備え、
接続された他の電子機器に前記電源部による電力を供給するための接続端子、
を備えることを特徴とする請求項１記載の手鏡。
【請求項８】
前記電源部は、
外部電源からの入力により蓄電が可能な二次電池であること、
を特徴とする請求項７記載の手鏡。
【請求項９】
前記光源部は、
前記鏡面の外周縁部内側に代えて、前記鏡面の外周縁部外側に沿って配置されること、
を特徴とする請求項１記載の手鏡。
【請求項１０】
前記光源部は、
前記鏡面の外周縁部内側に代えて、前記鏡面の外周縁部上に沿って配置されること、
を特徴とする請求項１記載の手鏡。
【考案の詳細な説明】
【技術分野】
【０００１】
本考案は、手鏡に関する。
【背景技術】
【０００２】
従来から、小型の鏡に柄をつけたり、折りたたみ式の形状をとることで携帯性を向上させたりした手鏡が一般的に使用されている。
また、手鏡をただ単なる化粧や身だしなみなどを利用者が確認する道具として利用するだけでなく、たとえば鏡面を凸面鏡や凹面鏡にすることで、凹凸の鏡面に映し出された顔の中心部分が拡大したり飛び出したり見える面白い手鏡も存在する。
【０００３】
他にも、手鏡本体自体が独特の動物キャラクターの特徴形状を象形しており、手鏡本体が備える鏡体部や把持部に、その動物の特徴をさらに際立たせる形状や模様を形成することで、その鏡面に映し出された顔に、その動物の特徴的な顔面模様や髭等が付加されて映ることで、面白みが得られる手鏡も存在する（たとえば、特許文献１参照）。
【先行技術文献】
【特許文献】
【０００４】
【特許文献１】実用新案登録第３２０７０４０号公報
【考案の概要】
【考案が解決しようとする課題】
【０００５】
ところで、日本は地震大国と呼ばれるほど地震が多い国であり、地震に対する様々な備えが不可欠となっている。東北地方および東日本にわたって未曾有の災害をもたらした東日本大震災では、被災後８年を経過しようとしているが復興は今なお途上にある。
【０００６】
また、近年では、日本における集中豪雨や台風などの大雨の発生件数が長期的に増加傾向にある。これは地球温暖化が影響しているともいわれており、今後地球温暖化が進行した場合には、さらに集中豪雨や台風などの大雨の発生件数が増加することも予測される。
【０００７】
このように、日本では今後も地震や台風、大雨や土砂崩れなどの災害が頻繁に発生することが予測されており、状況によっては危険地域からの一刻も早い避難が強いられる場合もある。
【０００８】
このように、災害時に避難した場合でも、ある程度は身だしなみが気になるものであり、このような災害時にでも手鏡は有効的に利用される。また災害により顔にけがをしてしまった場合にでも、手鏡を利用することで利用者の顔の状態を容易に確認することもできる。
【０００９】
ところが、災害時に停電などで明かりがなくなってしまった場合や夜間に、暗闇の中や薄暗い場所で鏡を使用しても、自分の顔を正確に鏡に映し出すことができずに、身だしなみや顔の状況を利用者が確認することができない問題がある。
【００１０】
この解決方法としては、明るい場所を探して移動し、手鏡を使用することが考えられる。しかし、手鏡を使用するために、災害時、しかも暗闇の中や薄暗い場所で、明るい場所を求めて移動することは非常に危険である。
【００１１】
他の解決方法として、懐中電灯などの光源を利用して自分の顔を照らしながら顔を鏡に映して利用者が確認する方法である。ところが、この場合、手鏡の他に懐中電灯などの光源を常に所持する必要があり、光源を所持していない場合には、暗闇の中や薄暗い場所で手鏡を使用して身だしなみや顔の状態を利用者が確認することは難しい。
【００１２】
また、一方の手で懐中電灯を所持して顔に向けて光を照射し、さらに他方の手で手鏡を所持して懐中電灯によって照らされた顔を映し出して確認するため、両手がふさがってしまう。これでは、顔に生じたけがを利用者が確認できたとしても、両手がふさがっているために手当をすることができない。
【００１３】
本考案はこのような点に鑑みてなされたものであり、暗闇の中や薄暗い場所でも鏡に映し出された対象物を片手で容易に利用者が確認できる手鏡を提供することを目的とする。
【課題を解決するための手段】
【００１４】
本考案では上記問題を解決するために、対象物からの光を反射する鏡面を備えた手鏡において、前記鏡面の外周縁部内側に沿って複数配置され、前記鏡面の反射方向に向けて前記対象物を明るく照らす照明光を照射する光源部を備えることを特徴とする手鏡が提供される。
これにより、鏡面の外周縁部内側に沿って複数配置された光源部が、鏡面の反射方向に向けて対象物を明るく照らす照明光を照射する。
【考案の効果】
【００１５】
本考案の手鏡によれば、鏡面の外周縁部内側に沿って複数配置された光源部が、鏡面の反射方向に向けて対象物を明るく照らす照明光を照射するので、光源部の照射する光によって対象物が明るく照らされる。このため、暗闇の中や薄暗い場所でも鏡に映し出された対象物を片手で容易に利用者が確認することができる。
【図面の簡単な説明】
【００１６】
【図１】第１の実施の形態に係る手鏡全体を示す斜視図である。
【図２】本体部の詳細を示す正面図、上面図、底面図、両側面図、および背面図である。
【図３】保護カバー部の詳細を示す正面図、上面図、底面図、両側面図、および背面図である。
【図４】鏡部の詳細を示す正面図、上面図、底面図、両側面図、および背面図である。
【図５】光源部の構成例を示すブロック図である。
【図６】制御部の詳細と、光源部、電力入力部、インジケーター、電力出力部、電源スイッチ部、機能切替スイッチ部、制御部、および電源部の相関関係の一例を示すブロック図である。
【図７】第２の実施の形態に係る手鏡全体を示す斜視図である。
【図８】第３の実施の形態に係る手鏡全体を示す斜視図である。
【考案を実施するための形態】
【００１７】
以下、本考案の実施の形態を、図面を参照して詳細に説明する。
〔第１の実施の形態〕
図１は、第１の実施の形態に係る手鏡全体を示す斜視図である。
【００１８】
本実施の形態の手鏡１００は、災害時などに生じる停電などにより、明かりがない暗闇の中や薄暗い場所で、鏡に映し出された対象物を片手で容易に利用者が確認できる手鏡である。
【００１９】
図１に示すように手鏡１００は、本体部１１０、保護カバー部１２０、および鏡部１３０を備えている。
本体部１１０は内部に蓄電が可能な電源部を備えた薄型のバッテリーのような電源部を含んだプラスチックなどの樹脂で形成された箱体である。
【００２０】
本体部１１０は、たとえば高さ９４ｍｍ×幅６７ｍｍ×厚さ８ｍｍ程度の箱体の形状をしており、電源部により供給された電力により本体部１１０に備えられた光源部が光を発光することで、明かりがない暗闇の中や薄暗い場所でも、鏡部１３０によって映されるべき対象物を照らし、暗闇で鏡部１３０に映った対象物の確認を可能にするためのものである。
【００２１】
本体部１１０は、光源部１１１、電力入力部１１２、インジケーター１１３、電力出力部１１４、電源スイッチ部１１５、機能切替スイッチ部１１６、ここでは図示しない電源部１１７、および、ここでは図示しない制御部１１８を備えている。
【００２２】
光源部１１１は、たとえＬＥＤ（light emitting diode）発光体などの、電圧をかけることで発光する半導体素子である。光源部１１１は、電源部１１７から供給される電力により発光し、白色光や複数の発光色で発光することができる。
【００２３】
光源部１１１は、本体部１１０の一方側面に貼り付けられる鏡部１３０側に設けられ、本体部の外周縁の内側に沿って複数の光源部１１１が配置される。
光源部１１１は、ここでは図示しない接続線によって制御部１１８に接続され、白色光や複数の発光色で発光し、鏡部１３０によって映されるべき対象物を照らすことができる。
【００２４】
電力入力部１１２は電源部１１７に接続されており、たとえば商用電源などの電源から供給された電力を、図示しない接続ケーブルを介して電源部１１７に供給するための接続端子である。これにより電力入力部１１２を介して入力された電力は電源部１１７に蓄電される。
電力入力部１１２の例としては、ＵＳＢ（Universal Serial Bus）規格で定められている端子や、他の規格で形成されている端子などが挙げられる。
【００２５】
インジケーター１１３は、電源部１１７の残量を表示するためのものである。たとえば、インジケーター１１３は、４つの小型のＬＥＤライトを有するインジケータ表示部を備えており、各ＬＥＤライトの点灯または消灯による表示状態によって電源部１１７の残量を示すことができる。
【００２６】
具体的には、インジケータ表示部による４つのＬＥＤライトを点灯させることで残量が１００％、３つのＬＥＤライトを点灯させることで残量が７５％、２つのＬＥＤライトを点灯させることで残量が５０％などを利用者に知らせることができる。
電力出力部１１４は、電源部１１７に接続されており、電源部１１７に蓄えられた電力を、電力出力部１１４に接続された電子機器に供給するための接続端子である。
【００２７】
電力出力部１１４は、たとえばＵＳＢ規格で定められている端子や、他の規格で形成されている端子などが設けられており、電力出力部１１４に接続される図示しない接続ケーブルを介して、スマートフォン、タブレットなどの電子機器に電力を出力することができるものである。
【００２８】
これにより、災害などによる停電で電源を喪失する事態が生じても、手鏡１００が有する電源部１１７に蓄えられた電力を、手持ちの携帯電話やスマートフォンなどの電子機器に供給することができる。
【００２９】
電源スイッチ部１１５は、制御部１１８に接続されており、本体部１１０が備える光源部１１１の発光を開始するためのものである。電源スイッチ部１１５を「ＯＮ」にすることで、光源部１１１は点灯する。また、電源スイッチ部１１５を「ＯＦＦ」にすることで、光源部１１１は消灯する。
【００３０】
機能切替スイッチ部１１６は、光源部１１１が発光する発光色や、光源部１１１を点灯または消灯させることによる点滅パターンを切り替えるための切り替えスイッチであって、機能切替スイッチ部１１６は制御部１１８に接続されている。
【００３１】
電源部１１７は、たとえばリチウムイオンが正極と負極との間を移動することで充電や放電を繰り返して行うことができる二次電池であり、電力入力部１１２によって入力された電力を充電し、電力出力部１１４を介して接続された電子機器に電力を供給することができる。この他、電源部１１７は入れ替え可能な乾電池などを使用することもできる。
【００３２】
制御部１１８は、光源部１１１が発光する発光色や、光源部１１１を点灯または消灯させることによる点滅パターンを制御するための制御装置であり、制御部１１８は光源部１１１と電源部１１７との間に介在されており、制御部１１８に接続された機能切替スイッチ部１１６の操作によって入力された切り替え信号により、制御部１１８は光源部１１１の発光動作を変更する。
【００３３】
保護カバー部１２０は、本体部１１０における外部からの損傷を保護するための保護体であって、たとえば高さ９５ｍｍ×幅６８ｍｍ×厚さ９．５ｍｍ程度の箱体の形状をしており、本体部１１０を周囲から被覆する箱型の形状をしており、プラスチックなどの樹脂で形成されている。
【００３４】
また、保護カバー部１２０には、光源部１１１、電力入力部１１２、インジケーター１１３、電力出力部１１４、電源スイッチ部１１５、および機能切替スイッチ部１１６を露出するための各開口部が設けられており、保護カバー部１２０の内部に収容した本体部１１０の光源部１１１が発光する光を外部に露出させたり、保護カバー部１２０の内部に収容した本体部１１０の電力入力部１１２、インジケーター１１３、電力出力部１１４、電源スイッチ部１１５、および機能切替スイッチ部１１６を外部に露出させたりするように開口部が形成されている。
【００３５】
鏡部１３０は、光を反射させることで対象物を映すためのものであって、たとえば高さ８９．５ｍｍ×幅６２．５ｍｍ×厚さ１ｍｍ程度の板体の形状をしており、本体部１１０を被覆する保護カバーの一方側面に貼り付けられる。
【００３６】
また、鏡部１３０は、本体部１１０と同形状または若干小さい形状で形成され、鏡部１３０には、本体部１１０が有する光源部１１１による光が外部に露出するように開口部が複数設けられている。
【００３７】
これにより、鏡部１３０に設けられた開口部を通じて光源部１１１が発光する光が遮断されることなく対象物を照射する。これにより、光源部１１１は鏡部１３０の外周縁内側に沿って配置される。
【００３８】
このように、手鏡１００は、手鏡１００の一方側面に設けられた鏡部１３０の外周縁部の内側に設けられた光源部１１１が鏡部１３０の反射方向に設けられているので、鏡部１３０に映るべき対象物を光源部１１１が照らすことができ、対象物を明るい状態で鏡部１３０に反射して映すことができる。
【００３９】
これにより、光源部１１１が発光する光によって明るくなった対象物が鏡部１３０に映されるので、手鏡１００の他に懐中電灯などの光源が必要なくなり、暗闇でも手鏡１００に映し出された対象物を片手で容易に利用者が確認することができる。
【００４０】
また、手鏡１００は、持ち運びしやすい薄型の箱体であるため携帯性がよく、利用者が所持するカバンやポケットに携帯しておくことで、非常時でも手鏡１００をカバンやポケットから容易に取り出して手鏡１００を使用することができる。
【００４１】
図２は、本体部の詳細を示す正面図、上面図、底面図、両側面図、および背面図である。
図２に示すように、本体部１１０は、内部に電源部１１７を備えており、本体部１１０の一方側面の周囲に光源部１１１が配置されている。
【００４２】
具体的には、本体部１１０の鏡部１３０が貼り付けられる正面側の平面の上部に、直径４．５ｍｍの光源部１１１が均等幅で３つ配置され、本体部１１０の平面における左右の側部に同径の光源部１１１が均等幅で３つ配置されており、合計９個の光源部１１１が本体部１１０に配置されている。
【００４３】
なお、本実施の形態では平面の下部には光源部１１１が配置されていないが、これは平面の下部には、電力入力部１１２、インジケーター１１３、電力出力部１１４、および電源スイッチ部１１５が設けられているので、光源部１１１を配置できないからである。
【００４４】
たとえば電力入力部１１２、インジケーター１１３、電力出力部１１４、および電源スイッチ部１１５を本体部１１０の背面側に設けるなどすれば、本体部１１０における正面側の平面の下部にも光源部１１１を配置することもできる。また、光源部１１１を配置する位置や数量は任意で配置することができる。
【００４５】
本体部１１０の外周縁部に配置された光源部１１１は、図示しない接続線によって本体部１１０の内部に設けられた制御部１１８に接続されており、制御部１１８の動作によって光源部１１１は発光する。
【００４６】
電力入力部１１２、インジケーター１１３、電力出力部１１４、および電源スイッチ部１１５は、たとえば本体部１１０の底面側に設けられており、利用者が電源部１１７に充電したり、電源部１１７の状態を確認したり、電源部１１７から他の電子機器に充電したり、電源スイッチ部１１５の操作により光源部１１１を点灯させたりすることができる。
【００４７】
機能切替スイッチ部１１６は、たとえば本体部１１０の一方の側面のうち底面側に設けられており、利用者の操作によって光源部１１１の発光する発光色や、点灯および消灯による点滅パターンを切り替えることができる。
【００４８】
図３は、保護カバー部の詳細を示す正面図、上面図、底面図、両側面図、および背面図である。
図３に示すように、保護カバー部１２０は、本体部１１０を外側から包み込むような箱体で形成されており、たとえば箱体である保護カバー部１２０は、箱体の一側面で保護カバー前面部１２０Ａと保護カバー背面部１２０Ｂとで分割するように形成されている。
【００４９】
２つに分割された保護カバー前面部１２０Ａと保護カバー背面部１２０Ｂとの間に本体部１１０が挟まれるようにして保護カバー部１２０の内部に本体部１１０が収容されて内部に固定される。
【００５０】
保護カバー前面部１２０Ａには、本体部１１０が保護カバー部１２０の内部に収容されたときに、本体部１１０に配置された光源部１１１と保護カバー前面部１２０Ａとが重なる位置に、光源部１１１と同形状の光源用開口部１２１が設けられている。
【００５１】
本体部１１０に配置された光源部１１１が発光したときの光は、光源用開口部１２１から外部に露出し、やがて鏡部１３０に向けられた対象物を光源部１１１が発光する光が照らす。
【００５２】
これにより、本体部１１０に配置された光源部１１１が発光する光が対象物を明るく照らすことができるため、暗闇や薄暗い場所でも、明るく照らされた対象物を鏡部１３０に映し出すことができる。
【００５３】
保護カバー部１２０の底面には、電力入力部１１２を外部に露出するための電力入力用開口部１２２、インジケーター１１３を外部に露出するためのインジケーター用開口部１２３、電力出力部１１４を外部に露出するための電力出力部用開口部１２４、電源スイッチ部１１５を外部に露出するための電源スイッチ用開口部１２５が設けられている。
【００５４】
各開口部は、光源用開口部１２１と同様に、本体部１１０が保護カバー部１２０の内部に収容されたときに、電力入力部１１２、インジケーター１１３、電力出力部１１４、および電源スイッチ部１１５と、保護カバー部１２０とが重なる位置に、各開口部が設けられる。
【００５５】
保護カバー部１２０の一方の側面には、機能切替スイッチ部１１６を外部に露出するための機能切替スイッチ用開口部１２６が設けられている。
機能切替スイッチ部１１６は、光源用開口部１２１と同様に、本体部１１０が保護カバー部１２０の内部に収容されたときに、機能切替スイッチ部１１６と保護カバー部１２０とが重なる位置に設けられる。
【００５６】
なお、ここでは、保護カバー部１２０が保護カバー前面部１２０Ａと保護カバー背面部１２０Ｂとで分割する例で説明したが、この他にも、保護カバー部１２０の一側面を開口し、その開口部から保護カバー部１２０の内部に本体部１１０を収容するなど他の形態で本体部１１０を収容することもできる。
【００５７】
上記のように、本体部１１０を保護カバー部１２０で外側から覆うように被覆するので、保護カバー部１２０に様々なデザインを施すことで、保護カバー部１２０を入れ替えるだけで手鏡１００のバリエーションを容易に増やすことができる。
【００５８】
また、本体部１１０の周面に保護カバー部１２０を備えることで、手鏡１００を落下させた際の衝撃から本体部１１０や、本体部１１０が備える各部位を衝撃から保護することができる。
【００５９】
図４は、鏡部の詳細を示す正面図、上面図、底面図、両側面図、および背面図である。
図４に示すように、鏡部１３０は、本体部１１０を内部に収容した保護カバー部１２０の一方側面に貼り付けられる板状の鏡体である。
【００６０】
鏡部１３０は、光を反射する反射面１３０Ａと反射面１３０Ａの反対側面である背面１３０Ｂとで構成されており、本体部１１０が有する光源部１１１や、保護カバー部１２０が有する光源用開口部１２１と同じ方向に反射面１３０Ａが向くように、背面１３０Ｂと保護カバー部１２０とが接着される。
【００６１】
鏡部１３０には、鏡部１３０が保護カバー部１２０に貼り付けられたときに、保護カバー部１２０に配置された光源用開口部１２１と鏡部１３０とが重なる位置に、光源部１１１と同形状の光源用開口部１３１が設けられている。
【００６２】
本体部１１０に配置された光源部１１１が発光したときの光は、光源用開口部１２１と光源用開口部１３１とを通じて外部に露出し、やがて鏡部１３０に向けられた対象物を光源部１１１が発光する光が照らす。
【００６３】
これにより、本体部１１０に配置された光源部１１１が発光する光が対象物を明るく照らし、暗闇や薄暗い場所でも、明るく照らされた対象物を鏡部１３０に映し出すことができる。
【００６４】
図５は、光源部の構成例を示すブロック図である。
図５（Ａ）に示すように、光源部１１１は、光の三原色であるＲ（赤）、Ｇ（緑）、Ｂ（青）のＬＥＤが備えられており、これらの組み合わせにより任意の発光色が調光されて光源部１１１を所望の発光色で発光させることができる。なお、発光色は光源部１１１に接続される制御部１１８によって制御されて調光される。
【００６５】
図５（Ａ）の例では、Ｒ、Ｇ、Ｂの三色を例に挙げたが、この他にもＲＧＢ三色の他に白色のＬＥＤを追加して組み合わせてもよく、さらにはＲＧＢ＋白に電球色のＬＥＤを追加して組み合わせることもできる。これにより、ＲＧＢによるフルカラーだけでなく、パステルカラーなどを表現できるマルチカラーで光源部１１１を所望の発光色で発光させることができる。
【００６６】
また図５（Ｂ）に示すように、光源部１１１には、手鏡１００で発色させたい発光色のＬＥＤを各々備えることもできる。
図５（Ｂ）の例では、光源部１１１に緑、赤、黄色、白色のＬＥＤがそれぞれ備えられており、機能切替スイッチ部１１６の操作と、制御部１１８の動作によって光源部１１１を任意の色のＬＥＤで点灯させることができる。
【００６７】
図６は、制御部の詳細と、光源部、電力入力部、インジケーター、電力出力部、電源スイッチ部、機能切替スイッチ部、制御部、および電源部の相関関係の一例を示すブロック図である。
【００６８】
図５に示すように、制御部１１８は、切替制御部１１８Ａ、照明光制御部１１８Ｂ、および装飾光制御部１１８Ｃを備えている。
切替制御部１１８Ａは、照明光制御部１１８Ｂ、装飾光制御部１１８Ｃ、機能切替スイッチ部１１６、および電源部１１７に接続されており、電源部１１７から供給された電力により光源部１１１の発光を制御している。
【００６９】
また、機能切替スイッチ部１１６の切り替え操作に応じて、切替制御部１１８Ａは照明光制御部１１８Ｂと装飾光制御部１１８Ｃとの接続を切り替えたり、装飾光制御部１１８Ｃの制御機能を切り替えたりすることができる。
【００７０】
具体的な例として、機能切替スイッチ部１１６の切り替え操作を１回行うと、切替制御部１１８Ａは照明光制御部１１８Ｂから装飾光制御部１１８Ｃに切り替えて光源部１１１への発光を切り替えられる。
【００７１】
さらに機能切替スイッチ部１１６の切り替え操作を１回行うことで、切替制御部１１８Ａは装飾光制御部１１８Ｃの制御機能を切り替えて光源部１１１への発光制御を切り替える。
【００７２】
さらに複数回の機能切替スイッチ部１１６の切り替え操作を行うことで、切替制御部１１８Ａは装飾光制御部１１８Ｃの制御機能を切り替えて光源部１１１への発光制御を複数回切り替えた後に、装飾光制御部１１８Ｃから照明光制御部１１８Ｂに切り替えられて光源部１１１への発光を切り替えられる。
【００７３】
照明光制御部１１８Ｂは、光源部１１１と切替制御部１１８Ａとに接続されており、たとえば白色光や電球光などの対象物を暗闇でも明確に照らすことができる光で発光するように光源部１１１を制御するためのものである。
【００７４】
具体的には、光源部１１１が備えるＲ、Ｇ、Ｂ三色のＬＥＤを同時に点灯させることで白色光を光源部１１１に発光させたり、さらに白色ＬＥＤを加えて同時に点灯させることで、より白い白色光を光源部１１１に発光させたりすることができる。
【００７５】
装飾光制御部１１８Ｃは、光源部１１１と切替制御部１１８Ａとに接続されており、たとえば赤色、黄色、緑色、青色など任意の色の光で発光するように光源部１１１が有するＬＥＤを調光したり、または光源部１１１が有する任意の色のＬＥＤを選択したりする制御を行う光源部変色手段を備えることができる。
【００７６】
また、装飾光制御部１１８Ｃは、光源部１１１への点灯と消灯とを繰り返すことで、点滅する光を発光する光源部点滅手段を備えることもできる。
さらに、装飾光制御部１１８Ｃが有する光源部点滅手段は、本体部１１０に複数配置された光源部１１１を、交互または任意の光源部１１１を起点として時計回りや反時計回りなど隣り合う光源部１１１を輪番で点灯と消灯を繰り返すことで、光が流れるように発光させることもできる。
【００７７】
また、装飾光制御部１１８Ｃが有する光源部点滅手段は、本体部１１０に複数配置された光源部１１１を、連続して配置された光源部１１１のうち、隣り合う光源部１１１を交互に点灯と消灯を繰り返す、または所定の間隔で連続した光源部１１１である光源部帯を隣どうして交互に点灯と消灯を繰り返すことで、輝くような光を発光させることもできる。
【００７８】
また、上記の光源部変色手段や光源部点滅手段による発光動作を組み合わせることで装飾された光を光源部１１１は発光することができる。また、これらの制御機能は、機能切替スイッチ部１１６の切り替え操作に応じた切替制御部１１８Ａの動作により、装飾光制御部１１８Ｃが装飾効果を切り替えることができる。
【００７９】
また機能切替スイッチ部１１６の切り替え操作に応じた切替制御部１１８Ａの動作により、装飾光制御部１１８Ｃの制御によって光源部１１１に備えられた任意の色のＬＥＤを発光させたり、調光によって任意の光を発光させたりすることもできる。
【００８０】
このように、手鏡１００は、照明光制御部１１８Ｂと装飾光制御部１１８Ｃとを備えることで、暗闇や薄暗い場所でも、明るく照らされた対象物を鏡部１３０に映し出すことができるだけでなく、装飾された光が対象物または周囲に照射されることで、利用者を心温かく優しい気持ちにして癒やすことができる。
【００８１】
また照明光制御部１１８Ｂによる装飾された光は、災害時だけに用いられるものではなく、たとえばコンサート会場などで使用されるペンライトのように、装飾光を発光する手鏡１００を利用することで、コンサートの演者と一体感を得たり、他の観客とコンサートを楽しんだりすることができる。
【００８２】
電力入力部１１２は電源部１１７に接続されており、たとえば商用電源などの電源から供給された電力を、接続された電源部１１７に供給することができる。
インジケーター１１３は電源部１１７に接続されており、電源部１１７の残量に応じて電源部１１７が供給できる電力量を表示することができる。
【００８３】
電力出力部１１４は電源部１１７に接続されており、電源部１１７に蓄えられた電力を、電力出力部１１４に接続された電子機器に供給することができる。
電源スイッチ部１１５は、制御部１１８と電源部１１７との間に介在して設けられており、電源部１１７が制御部１１８に供給する電力のＯＮとＯＦＦとを切り替えることができる。
【００８４】
機能切替スイッチ部１１６は制御部１１８が有する切替制御部１１８Ａに接続されており、機能切替スイッチ部１１６の操作により、切替制御部１１８Ａの動作を切り替えることができる。
【００８５】
以上のように、手鏡１００は、鏡部１３０の周縁部に沿って鏡部１３０の反射方向に向けられた光源部１１１を備えることで、暗闇の中や薄暗い場所でも鏡に映し出された対象物を片手で容易に利用者が確認できるようになる。
さらに、光源部１１１が鏡部１３０の周縁部に沿って配置されるため、鏡部１３０に映った対象物を利用者が見る際に光源部１１１が邪魔にならない。
【００８６】
なお、本実施の形態では、本体部１１０の周面に保護カバー部１２０を設ける例で説明したが、本体部１１０の一方側面に直接鏡部１３０を貼り付けるようにすることもできる。
【００８７】
また、本実施の形態では、手鏡１００を矩形の形状で説明したが、本体部１１０や保護カバー部１２０、鏡部１３０の形状を矩形以外の形状、たとえば円形や手持ち部を設けた形状、動物を象る外形の形状など様々な形態で形成することができる。
【００８８】
〔第２の実施の形態〕
次に、本考案の第２の実施の形態について説明する。本実施の形態の手鏡は、光源部の配置位置が異なる以外は、第１の実施の形態で示した構成とほぼ同様である。このため、上記第１の実施の形態とほぼ同様の構成部分については同一の符号を付すなどして適宜その説明を省略する。
【００８９】
図７は、第２の実施の形態に係る手鏡全体を示す斜視図である。
図７に示すように手鏡１００は、本体部１１０、保護カバー部１２０、および鏡部１３０を備えている。
【００９０】
鏡部１３０は、光を反射させて対象物を移すためのものであって、たとえば高さ８５ｍｍ×幅５８ｍｍ×厚さ１ｍｍ程度の板体の形状をしており、本体部１１０を被覆する保護カバーの一方側面に設けられる。
【００９１】
また、鏡部１３０は、本体部１１０の周縁部に沿って配置された光源部１１１と重ならない中央部に、鏡部１３０の反射面１３０Ａが光源部１１１の光の照射方向に向くように本体部１１０に貼り付けられる。
【００９２】
これにより、光源部１１１は鏡部１３０の外周縁外側に沿って配置されるため、鏡部１３０には、第１の実施の形態に係る手鏡のように、開口部を設ける必要がなく、製造の手間が省け、製造効率が上昇する。さらに、鏡部１３０に開口部がないため、鏡部１３０全体で対象物を映すことができる。
【００９３】
このため、鏡部１３０上に光源部１１１が配置されると利用者は反射されない光源部１１１が配置された部分が生じるが、本実施の形態の手鏡１００では鏡部１３０上に光源部１１１が配置されないため、利用者は快適に手鏡１００を利用することができる。
【００９４】
〔第３の実施の形態〕
次に、本考案の第３の実施の形態について説明する。本実施の形態の手鏡は、光源部の配置位置が異なる以外は、第１または第２の実施の形態で示した構成とほぼ同様である。このため、上記第１または第２の実施の形態とほぼ同様の構成部分については同一の符号を付すなどして適宜その説明を省略する。
【００９５】
図８は、第３の実施の形態に係る手鏡全体を示す斜視図である。
図８に示すように手鏡１００は、本体部１１０、保護カバー部１２０、および鏡部１３０を備えている。
【００９６】
鏡部１３０は、光を反射させて対象物を移すためのものであって、たとえば高さ９０ｍｍ×幅６３ｍｍ×厚さ１ｍｍ程度の板体の形状をしており、本体部１１０を被覆する保護カバーの一方側面に設けられる。
【００９７】
また、鏡部１３０は、本体部１１０の周縁部に沿って配置された光源部１１１の位置に
鏡部１３０の外周縁部が沿うようにして、鏡部１３０の反射面１３０Ａが光源部１１１の光の照射方向に向くように本体部１１０に貼り付けられる。
【００９８】
また、鏡部１３０には、本体部１１０が有する光源部１１１による光が外部に露出するように、鏡部１３０の外周縁部に光源用切欠部１３２が複数設けられており、鏡部１３０に設けられた光源用切欠部１３２を通じて光源部１１１が発光する光が遮断されることなく対象物を照射する。これにより、光源部１１１は鏡部１３０の外周縁内側に沿って配置される。
【００９９】
また、上述の実施形態に関し、さらに以下の付記を開示する。
（付記１）
鏡面の外周縁部内側に沿って配置され、前記鏡面の反射方向に向けて前記対象物を照らす照明光を照射する光源部、
を備えることを特徴とする手鏡。
（付記２）
前記光源部を装飾光として発光させる装飾光制御手段、
を備えることを特徴とする付記１記載の手鏡。
（付記３）
前記装飾光制御手段は、
前記光源部の点灯と消灯とを切り替えて点滅させる光源部点滅手段、
を備えることを特徴とする付記２記載の手鏡。
（付記４）
前記光源部が複数配置され、
前記光源部点滅手段は、
前記複数配置された光源部を輪番で点灯するように点灯と消灯とを切り替えて点滅させること、
を特徴とする付記３記載の手鏡。
（付記５）
前記光源部が複数配置され、
隣り合う前記光源部を交互に、または、隣り合う所定の間隔で前記光源部が連続して配置された光源部帯を交互に点灯と消灯とを切り替えて点滅させること、
を特徴とする付記３記載の手鏡。
（付記６）
前記装飾光制御手段は、
前記光源部が発光する発光色を変色させる光源部変色手段、
を備えることを特徴とする付記２記載の手鏡。
（付記７）
前記光源部に電力を供給する電源部を備え、
接続された他の電子機器に前記電源部による電力を供給するための接続端子、
を備えることを特徴とする付記１記載の手鏡。
（付記８）
前記電源部は、
外部電源からの入力により蓄電が可能な二次電池であること、
を特徴とする付記７記載の手鏡。
（付記９）
前記光源部は、
前記鏡面の外周縁部内側に代えて、前記鏡面の外周縁部外側に沿って配置されること、
を特徴とする付記１記載の手鏡。
（付記１０）
前記光源部は、
前記鏡面の外周縁部内側に代えて、前記鏡面の外周縁部上に沿って配置されること、
を特徴とする付記１記載の手鏡。
（付記１１）
鏡面の反射方向に向けて前記対象物を照らす照明光を照射する光源部を、前記鏡面の外周縁部内側に沿って配置する工程、
を備えることを特徴とする手鏡の製造方法。
【符号の説明】
【０１００】
１１０  本体部
１１１  光源部
１１２  電力入力部
１１３  インジケーター
１１４  電力出力部
１１５  電源スイッチ部
１１６  機能切替スイッチ部
１１７  電源部
１１８  制御部
１１８Ａ  切替制御部
１１８Ｂ  照明光制御部
１１８Ｃ  装飾光制御部
１２０  保護カバー部
１２０Ａ  保護カバー前面部
１２０Ｂ  保護カバー背面部
１２１  光源用開口部
１２２  電力入力用開口部
１２３  インジケーター用開口部
１２４  電力出力部用開口部
１２５  電源スイッチ用開口部
１２６  機能切替スイッチ用開口部
１３０  鏡部
１３０Ａ  反射面
１３０Ｂ  背面
１３１  光源用開口部
１３２  光源用切欠部
【図１】
0003225766.tif 000003
【図２】
0003225766.tif 000004
【図３】
0003225766.tif 000005
【図４】
0003225766.tif 000006
【図５】
0003225766.tif 000007
【図６】
0003225766.tif 000008
【図７】
0003225766.tif 000009
【図８】
0003225766.tif 000010
【手続補正書】
【提出日】令和2年1月31日(2020.1.31)
【手続補正１】
【補正対象書類名】実用新案登録請求の範囲
【補正対象項目名】全文
【補正方法】変更
【補正の内容】
【実用新案登録請求の範囲】
【請求項１】
鏡面の外周縁部内側に沿って配置され、前記鏡面の反射方向に向けて対象物を照らす照明光を照射する光源部、
を備えることを特徴とする手鏡。
【請求項２】
前記光源部を装飾光として発光させる装飾光制御手段、
を備えることを特徴とする請求項１記載の手鏡。
【請求項３】
前記装飾光制御手段は、
前記光源部の点灯と消灯とを切り替えて点滅させる光源部点滅手段、
を備えることを特徴とする請求項２記載の手鏡。
【請求項４】
前記光源部が複数配置され、
前記光源部点滅手段は、
前記複数配置された光源部を輪番で点灯するように点灯と消灯とを切り替えて点滅させること、
を特徴とする請求項３記載の手鏡。
【請求項５】
前記光源部が複数配置され、
隣り合う前記光源部を交互に、または、所定の間隔で前記光源部が連続して配置された光源部帯を交互に点灯と消灯とを切り替えて点滅させること、
を特徴とする請求項３記載の手鏡。
【請求項６】
前記装飾光制御手段は、
前記光源部が発光する発光色を変色させる光源部変色手段、
を備えることを特徴とする請求項２記載の手鏡。
【請求項７】
前記光源部に電力を供給する電源部を備え、
接続された他の電子機器に前記電源部による電力を供給するための接続端子、
を備えることを特徴とする請求項１記載の手鏡。
【請求項８】
前記電源部は、
外部電源からの入力により蓄電が可能な二次電池であること、
を特徴とする請求項７記載の手鏡。
【請求項９】
前記光源部は、
前記鏡面の外周縁部内側に代えて、前記鏡面の外周縁部外側に沿って配置されること、
を特徴とする請求項１記載の手鏡。
【請求項１０】
前記光源部は、
前記鏡面の外周縁部内側に代えて、前記鏡面の外周縁部上に沿って配置されること、
を特徴とする請求項１記載の手鏡。